(57)【特許請求の範囲】
【請求項１】
板状係止板には、略長方形状をした少なくとも１つの王冠挿入孔を設けるとともに、前記王冠挿入孔の両端に連通する壜頭部用凹部を設け、前記板状係止板の王冠挿入孔と平行する側端に折り返し自在な押え板をヒンジを介して連設し、前記押え板を折り返して板状係止板に折り重ねたとき、押え板が前記壜頭部用凹部に嵌入され板状係止板から上方に突出した壜頭部と壜頭部の間に挿入され、２本の壜頭部の対向する側面に当接するようにしたことを特徴とする壜運搬具。
【請求項２】
前記王冠挿入孔を平行に設けて壜頭部用凹部を板状係止板の四隅部に位置するように形成し、板状係止板に連設する押え板を王冠挿入孔と平行な側端にヒンジを介して連設したことを特徴とする請求項１記載の壜運搬具。
【請求項３】
前記平行な王冠挿入孔の間に第２王冠挿入孔とこの王冠挿入孔に連通する第２壜頭部用凹部を設け、前記第２壜頭部用凹部を略中央部に位置させるとともに、前記第２王冠挿入孔が面する側端にヒンジを介して第２押え板を連設したことを特徴とする請求項１または請求項２に記載の壜運搬具。
【請求項４】
押え板には先端に開口する切欠を設けると共に、王冠挿入孔の端面に係止するフックを設けたことを特徴とする請求項１〜３のいずれか１項に記載の壜運搬具。
【請求項５】
前記板状係止板の対向する側端にヒンジを介して折り返し自在な把手部を連設してなることを特徴とする請求項１〜４のいずれか１項に記載の壜運搬具。
【請求項６】
前記板状係止板の対向する側端にはヒンジを介して折り返し自在な把手部を連設するととともに、前記一方の把手部の把持部に透孔を設け、他方の把手部の把持部に前記透孔に挿入するフックを設けたことを特徴とする請求項１〜４のいずれか１項に記載の壜運搬具。
【請求項７】
板状係止板には、略長方形状をした少なくとも１つの王冠挿入孔を設けるとともに、前記王冠挿入孔の両端に連通する壜頭部用凹部を設け、前記王冠挿入孔の側面には前記壜頭部用凹部に嵌入され板状係止板から上方に突出した壜頭部と壜頭部の間に挿入され、２本の壜頭部の対向する側面に当接する押え板をヒンジを介して連設してなり、前記押え板には先端に凸部を設けるとともに、中央部に透孔を穿設してなり、前記王冠挿入孔の他の対向する側面には前記凸部を嵌合させる段状切欠部を設けてなり、さらに前記係止板の王冠挿入孔と平行な側端には前記押え板の透孔に挿入可能な係止部を有する支持用突片をヒンジを介して連設してなることを特徴とする壜運搬具。
【請求項８】
前記王冠挿入孔を平行に設けて壜頭部用凹部を四隅部に位置するように形成し、前記段状切欠部は係止板の肉厚の略半分を切り欠いて形成し、前記係止部は支持用突片とは直角方向に折り曲げて形成したことを特徴とする請求項７記載の壜運搬具。
【請求項９】
係止板の適所に把手部を設けたことを特徴とする請求項７または請求項８記載の壜運搬具。
【発明の詳細な説明】
【０００１】
【産業上の利用分野】
この発明は複数の壜を吊り下げて持ち運ぶのに便利な壜運搬具に関する。
【０００２】
【従来の技術】
従来、ビール、清涼飲料等の壜を手で持ち運ぶのに使用する容器には、種々の形状の容器が提案されており、一般には周壁によって囲まれた内部に仕切り壁によって壜を収納する複数の区室を形成するとともに、仕切り壁から一体に把手を突設し、前記把手を周壁上面よりも上方に突出させた合成樹脂製容器が使用されている。これらの容器は堅牢であり仕切壁によって壜同士の衝突がないので安全に運搬することができるが、容器自体が重く、また高価であることから使捨てのワンウェイ用としては割高となりコストの面から使用することはできないという問題があった。
【０００３】
そこで、２本以上の壜を簡便に持ち運ぶものとして、実開昭５６−４３７６２号公報に記載の「びん等の結束具」がある。これは、図２１に示すように、「板状に形成した基板１の中央部２に略半円形の孔３と、孔３に連続した空所４をそれぞれ複数個設けるとともに、各空所に先端面５を孔３の内面に対向させて内方に湾曲して形成した揺動片６をそれぞれ揺動可能に設け、かつ中央部２にそれぞれの基部７、８において折り返し可能な把手９を設けたものである。即ち、壜ごとにそれぞれ孔３と空所４を設け、空所４から挿入した壜を孔３に係止させ、揺動片６で押さえるようにしたものである。
【０００４】
【発明が解決しようとする課題】
上記構成のびん等の結束具にあっては、壜を１本ずつ挿入するものであるから装着及び取り外しが面倒である。また、揺動片６はヒンジを介して連設されており先端面５は壜に当接しているにすぎないから、上下動自在である。そこで、持ち運ぶ際に大きく振ったり、基板１を傾斜させるような扱いをすると、揺動片６が外れて壜が落下するおそれがある。また、２本用である場合には把手の基部が壜の外側に位置するように設けることができるが、４本用である場合には把手は中央部に設けられるから、壜の重量で両端部が垂れ下がり不安定になるために一層壜が外れ易くなるという問題がある。
【０００５】
【発明の目的】
この発明はかかる現況に鑑みてなされたもので、壜の装着、取り外しが簡単であり、不用意に外れることのない安定した状態で運搬することができるとともに、ワンウエーとして使用可能な安価な壜運搬具を提供することを目的とする。
【０００６】
【課題を解決するための手段】
この発明は上記目的を達成するために次のような構成とした。即ち、請求項１に係る壜運搬具は、板状係止板には、略長方形状をした少なくとも１つの王冠挿入孔を設けるとともに、前記王冠挿入孔の両端に連通する壜頭部用凹部を設け、前記板状係止板の王冠挿入孔と平行する側端に折り返し自在な押え板をヒンジを介して連設し、前記押え板を折り返して板状係止板に折り重ねたとき、押え板が前記壜頭部用凹部に嵌入され板状係止板から上方に突出した壜頭部と壜頭部の間に挿入され、２本の壜頭部の対向する側面に当接するようにしたことを特徴とする。また、請求項２に係る壜運搬具は、前記王冠挿入孔を平行に設けて壜頭部用凹部を板状係止板の四隅部に位置するように形成し、板状係止板に連設する押え板を王冠挿入孔と平行な係止板の側端にヒンジを介して連設したことを特徴とする。また、請求項３に係る壜運搬具は、前記平行な王冠挿入孔の間に第２王冠挿入孔とこの王冠挿入孔に連通する第２壜頭部用凹部を設け、前記第２壜頭部用凹部を略中央部に位置させるとともに、前記第２王冠挿入孔が面する側端にヒンジを介して第２押え板を連設したことを特徴とする。また、請求項４に係る壜運搬具は、押え板には先端に開口する切欠を設けると共に、王冠挿入孔の端面に係止するフックを設けたことを特徴とする。
【０００７】
さらに、請求項５に係る壜運搬具は、前記板状係止板の対向する側端にはヒンジを介して折り返し自在な把手部を連設してなることを特徴とする。また、請求項６に係る壜運搬具は、前記板状係止板の対向する側端にヒンジを介して折り返し自在な把手部を連設するととともに、前記一方の把手部の把持部に透孔を設け、他方の把手部の把持部に前記透孔に挿入するフックを設けたことを特徴とする。請求項７に係る壜運搬具は、板状係止板には、略長方形状をした少なくとも１つの王冠挿入孔を設けるとともに、前記王冠挿入孔の両端に連通する壜頭部用凹部を設け、前記王冠挿入孔の側面には前記壜頭部用凹部に嵌入され板状係止板から上方に突出した壜頭部と壜頭部の間に挿入され、２本の壜頭部の対向する側面に当接する押え板をヒンジを介して連設してなり、前記押え板には先端に凸部を設けるとともに、中央部に透孔を穿設してなり、前記王冠挿入孔の他の対向する側面には前記凸部を嵌合させる段状切欠部を設けてなり、さらに前記係止板の王冠挿入孔と平行な側端には前記押え板の透孔に挿入可能な係止部を有する支持用突片をヒンジを介して連設してなることを特徴とする。
【０００８】
また、請求項８に係る壜運搬具は、前記王冠挿入孔を平行に設けて壜頭部用凹部を四隅部に位置するように形成し、前記段状切欠部は係止板の肉厚の略半分を切り欠いて形成し、前記係止部は支持用突片とは直角方向に折り曲げて形成したことを特徴とする。また、請求項に係る壜運搬具は、係止板の適所に把手部を設けたことを特徴とする。
【０００９】
【作用】
この発明の請求項１にあっては、王冠挿入孔から挿入した壜口部をずらすだけで壜頭部用凹部に嵌入させることができ、壜頭部用凹部が王冠の下方の環状膨出部を保持して吊り下げることができる。王冠挿入孔と壜頭部用凹部とは連通しているから壜の取り付け取り外しが容易である。また、押え板は板状係止板の側端に連設し折り返したとき係止板に折り重なるようにしたので、強度が向上するとともに壜口部のずれを防止して壜頭部用凹部に確実に保持させる。この発明の請求項２にあっては、４本の壜を四隅部に位置するように配置することができ、ヒンジは押え板の折り返しを容易にする。また、この発明の請求項３にあっては、５本の壜を同時に持ち運ぶことを可能にする。この発明の請求項４にあっては、押え板先端の切欠が壜を確実に押さえるとともに、フックによって係止板上への折り重ねを保持し乱暴な取り扱いによっても押え板が外れることがない。
【００１０】
この発明の請求項５にあっては、ヒンジは押え板及び把手部の折り返しを容易にするとともに、把手部によって壜を安全、容易に持ち運ぶことができる。また、この発明の請求項６にあっては、押え板先端の切欠が壜を確実に押さえるとともに、フックによって係止板上への折り重ねを保持し乱暴な取り扱いによっても押え板が外れることがない。
【００１１】
この発明の請求項７にあっては、壜頭部用凹部を王冠挿入孔の両端に連通させて設けたから壜の着脱が容易であり、王冠挿入孔の側面に連設した押え板は壜頭部を固定する。また、押え板先端の凸部と王冠挿入孔側面の段状切欠部との嵌合とともに、支持用突片の係止部が押え板の透孔に挿入係止することによって押え板の上下左右の動きが抑制され、押え板が不容易に開くのを防止する。従って、運搬具として壜を不容易に落下させることがない。この発明の請求項８にあっては、壜頭部用凹部を四隅部に位置するように形成することによって４本の壜を安全に運搬することができる。また、前記段状切欠部は係止板の肉厚の略半分を切り欠いて形成したから、上面の突出を少なくし押え板をほぼ水平な状態で壜の環状膨出部を係止させることができる。また、前記係止部は支持用突片とは直角方向に形成することによって、押え板の透孔に直角に挿入することができ、係止部は乱暴な取り扱いによって外れることがない。また、この発明の請求項９にあっては、把手部を設けることによって安全、容易に持ち運ぶことができる。
【００１２】
【実施例】
次に、この発明の実施例を図面に基づいて詳細に説明する。図１は展開した状態であって上半分は上面図、下半分は下面図を示し、図２は押え板の組立方法を示す一部拡大断面図、図３は壜運搬具の組立方法を示す上面斜視図である。この発明は、口部を王冠により密封する構造の壜には王冠の下方に環状膨出部が形成されていることに着目し、この環状膨出部を利用して吊り下げるようにしたものである。即ち、壜運搬具１１は壜口部を係止する平面方形状の板状係止板１３の対向する側端に押え板１５を連設してなる。前記板状係止板１３には対向する両側端に沿って二つの略長方形状の王冠挿入孔１７が平行に設けられており、前記王冠挿入孔１７の両端には壜頭部用凹部１９が設けられている。従って、前記実施例では壜頭部用凹部１９は係止板１３の四隅部に位置するように配置され、４本の壜を運搬することができる。
【００１３】
前記王冠挿入孔１７は、王冠を冠着した壜口部を挿入するのに十分な大きさであり、両端部の壜頭部用凹部１９とは内側に突出したくびれ部２０を介して連通している。前記壜頭部用凹部１９は、壜口部の環状膨出部よりも小径であり環状膨出部の下方の首部が挿入可能な大きさに形成されている。くびれ部２０間の連通部２１の幅寸法は壜頭部用凹部１９の直径よりも当然小さく形成されており、王冠挿入孔１７から挿入された壜口部は連通部２１から押し込むようにして壜頭部用凹部１９に嵌入される。前記相互に連通する壜頭部用凹部１９間の寸法は、壜を並べて吊り下げることができるように壜の大きさによって適宜決定される。
【００１４】
前記板状係止板１３の王冠挿入孔１７と平行な側端には押え板１５がヒンジ２３を介して連設されている。前記押え板１５はヒンジ２３から折り返して係止板１３上面に重ねたとき、壜頭部用凹部１９の間に挿入され前記王冠挿入孔１７の略半分を覆う大きさに形成されている。先端には壜頭部用凹部１９と同じかそれよりも大きい直径による半円形の切欠２５が形成されている。押え板１５を係止板１３に折り重ねると切欠２５間の突出部分が連通部２１のほぼ半分を塞ぐことになる。また、押え板１５の上面には、ヒンジ２３を挟んで王冠挿入孔１７の外側側面２７と対向する位置にフック２９が突設されている。前記フック２９は、図２に示すように、内向きに突設されており、係止板１３上に折り重ねたとき王冠挿入孔１７の側面２７に係止して折り重ねた状態を保持する。
【００１５】
次に、上記構成の壜運搬具１１の使用方法を図３及び図４に基づいて説明する。まず、壜口部を王冠挿入孔１７の下側から挿入して王冠Ａ下方の環状膨出部Ｂを上方に突出させ、そのまま水平にずらして連通部２１から壜頭部用凹部１９に押し込む。壜頭部用凹部１９に押し込まれた壜口部は環状膨出部Ｂが係止されるとともに、くびれ部２０によって保持される。同様にして、もう１本の壜口部を王冠挿入孔１７から挿入し、水平移動させて他方の連通部２１から壜頭部用凹部１９に押し込んで環状膨出部Ｂを係止させる。次いで、押え板１５を折り返して係止板１３上に折り重ね、そのまま押圧することによってフック２９を王冠挿入孔１７の側面２７に係止させる。
【００１６】
他方の王冠挿入孔１７側においても同様にして壜口部を係止させる。その後、運搬する場合には、図４に示すように、両端に接着剤あるいは両面テープの付いた帯状テープを取り付けて把手３１とし、前記把手３１を持って吊り下げるようにすればよい。前記把手３１は壜頭部用凹部１９に近接して設けることが壜の重量で垂れるのを防止する上で好ましく、図示するように２本平行に設けるか、Ｘ字状にクロスして設けることができる。また、他の吊り下げ方法としては、係止板１３の中央部に手掛孔を設けるか、別途成形した把手を取り付けるようにしてもよい。
【００１７】
図５及び図６はこの発明の実施例２を示し、図５は上面図、図６は組立方法を示す上面斜視図であり、５本用の壜運搬具を示す。尚、実施例１と共通する構成については同一の符号を付して、その説明は省略する。この実施例では、前記平行に設けてなる王冠挿入孔１７の間に第２王冠挿入孔３３とこの王冠挿入孔３３にくびれ部３５を介して連通する第２壜頭部用凹部３７を設けてなる。前記第２壜頭部用凹部３７は係止板１３の略中央部に位置し、四隅部の壜頭部用凹部１９とは５本の壜を吊り下げることができるような十分な間隔を保持している。
【００１８】
さらに、前記第２王冠挿入孔３３が面する側端にはヒンジ３９を介して第２押え板４０を連設してなる。前記第２押え板４０は、壜頭部用凹部１９に係止された壜の間に挿入され、前記第２王冠挿入孔３３を覆い、第２壜頭部用凹部３７内の壜に当接してずれを防止する大きさに形成されている。先端には第２壜頭部用凹部３７と同じかそれよりも大きい直径による半円形の切欠４１が形成されている。また、第２押え板４０の上面には、ヒンジ３９を挟んで第２王冠挿入孔３３の外側側面４３と対向する位置にフック４５が突設されている。前記フック４５は内向きに突設されており、フック２９と同じく係止板１３上に折り重ねたとき第２王冠挿入孔３３の側面４３に係止して折り重ねた状態を保持する。
【００１９】
次に、上記実施例２の使用方法も実施例１と同じであり、王冠挿入孔から王冠を挿入して王冠下方の環状膨出部Ｂを上方に突出させ、そのまま水平にずらしてそれぞれ壜頭部用凹部１９に押し込めばよい。また、第２壜頭部用凹部３７においても第２王冠挿入孔３３から挿入して壜口部をずらして嵌入すればよい。また、運搬する場合には、実施例１と同様にして把手を取り付ければよい。
【００２０】
図７は押え板の変形例を示す実施例３であり、押え板４７は切欠を設けることなく先端面を直線に形成した突片である。押え板４７は折り返したとき側面が壜頭部用凹部１９に保持された壜口部に当接し、壜の王冠挿入孔１７側へのずれを防止する大きさに形成されている。また、押え板４９は角部に円弧状の切欠５０を設けてなり、前記切欠５０を壜口部に当接して壜の王冠挿入孔１７側へのずれを防止するようにしたものである。また、実施例２における第２押え板４０の上記変形例を応用することができることは当然である。さらに、押え板は壜のずれを防止することができる形状であれば他に変更することは可能であり、切欠の形状もコの字状、多角形等適宜の形状とすることができる。また、上記実施例では王冠挿入孔と壜頭部用凹部とはくびれ部を介して連通する構成としたが、くびれ部を省略し壜頭部用凹部を略半円形としてもよい。
【００２１】
次に、図８〜図１１に基づいて、把手部を設けた実施例４について説明する。図８は展開した状態であって上半分は上面図を、下半分は下面図を示し、図９は一部を省略した断面図、図１０は組み立て方法を示す上面斜視図、図１１は壜を取り付けた状態の上面斜視図である。この実施例の壜運搬具１１ａでは板状係止板１３の押え板１５を連設した側端と直角方向の側端に把手部５１を設けたことを特徴とする。従って、上記実施例と共通する構成については同一の符号を付して、その説明は省略する。尚、押え板１５は壜口部が王冠挿入孔側にずれて抜け落ちるのを防止するためのものであるから、図８に仮想線で示すように、切欠を設けることなく壜の間に挿入され王冠挿入孔１７の幅の半分以上を覆う突片としてもよい。
【００２２】
把手部５１は略コの字状に形成されており、係止板１３の押え板１５に隣接する直角方向の側端に連設されている。前記把手部５１は係止板１３の四隅部から連設されており、連設部には折り返し自在とするヒンジ５３が設けられている。また、先端部にも把持部５５を突き合わせて垂直に吊り下げることができるようにヒンジ５７が設けられている。前記把持部５５の一方には透孔５９が穿設されており、他方には前記透孔５９に挿入するフック６０が突設されている。従って、使用するときは、両把手部５１をヒンジ５３から折り返してハの字状に起立させるとともに、把持部５５をヒンジ５７から折り返して突き合わせ、透孔５９にフック６０を挿入して組み立てればよい。尚、把手部５１は係止板１３の四隅でのみ連設することなく側端全体で連設し、先端部に指挿入孔を設ける構造とすることができる。
【００２３】
次に、上記構成の壜運搬具１１ａの使用方法を図１０及び図１１に基づいて説明する。まず、壜口部を王冠挿入孔１７の下側から挿入して環状膨出部Ｂを上方に突出させ、そのまま水平移動させて連通部２１から壜頭部用凹部１９に押し込む。王冠挿入孔１７の両端の壜頭部用凹部１９に押し込まれた壜口部は環状膨出部Ｂが係止するとともに、くびれ部２０によって保持される。次いで、押え板１５を回動させて係止板１３上に折り重ね、そのまま押圧することによってフック２９を王冠挿入孔１７の側面２７に係止させる。その後、把手部５１を起立させるとともに、把持部５５を突き合わせて透孔５９にフック６０を挿入して組み立てればよい。このようにして、組み立てと壜の取り付けとを同時に行うことができ、操作がきわめて簡単である。また、押え板１５によって壜口部のずれを防止しているから確実に保持することができ、吊り下げても安全に持ち運ぶことができる。
【００２４】
尚、上記実施例では４本の壜を運搬する場合について説明したが、２本の壜の運搬用に変形することもできる。２本の壜を運搬する場合には、王冠挿入孔を１つ設ければよく、他の１つは押え板とともに省略すればよい。また、５本の壜の運搬用とするには、図５の実施例の壜運搬具に前記把手部５１を組み合わせることができる。
【００２５】
さらに、この発明の他の実施例について説明する。図１２以下は押え板を王冠挿入孔１７の側面２７に直接連設したことを特徴とする。この実施例においても王冠挿入孔１７は係止板１３の下から王冠を挿入可能な大きさであって、壜頭部用凹部１９は壜頭部を前記王冠挿入孔１７側から移動させたとき壜頭部が挿入可能な大きさであるとともに、環状膨出部Ｂを係止する大きさに形成されている。前記王冠挿入孔１７の内側縁部には壜頭部を押さえる押え板６１が下面側に形成したヒンジ６３を介して連設されている。押え板６１の先端部６５に設けた小さな凸部６７が王冠挿入孔１７の縁部に形成した段状切欠部６９に嵌合する。
【００２６】
即ち、図１５に示すように、押え板６１の先端部６５には肉厚の略半分の厚さの凸部６７が設けられていて、この凸部６７が王冠挿入孔１７の縁部に肉厚の略半分を切り欠いた段状切欠部６９に嵌合して、押え板６１の水平方向のねじれと下方への垂れ下がりを防止する。押え板６１には透孔７０が穿設されており、側面７１の先端角部は２本の壜の間に容易に挿入できるように、周方向のアール面とされている。尚、前記押え板６１は、壜口部が壜頭部用凹部１９から王冠挿入孔１７にずれて抜け落ちるのを防止するためのものであるから、押え板６１の側面７１の形状は壜口部へ当接してずれを防止できる形状であればよい。従って、側面形状はアール面であると直線であるとを問わない。
【００２７】
さらに、係止板１３の前記王冠挿入孔１７と平行な側端には、先端部に係止部７３を形成した支持用突片７５を上面側に形成したヒンジ７７を介して連設してなる。前記係止部７３は支持用突片７５を水平にしたとき下向きに形成されており、係止板１３の下側から回動させて押え板６１の透孔７０に挿入して係止できるように構成されている。このように、支持用突片７５を回動させて係止部７３を透孔７０に係止させると、押え板６１は下方へは凸部６７と段状切欠部６９との係合によって抑えられ、上方へは係止部７３によって抑えられるから、上下左右の動きが抑制される。このようにして、押え板６１は固定されるので、壜を確実に保持し不容易な脱落を防止することができる。
【００２８】
前記王冠挿入孔１７の間には、図１２〜図１４に示すように、把手部７９が設けられている。前記把手部７９は両端が係止板１３に連結し上方に湾曲した略コの字状に形成されており、下方の係止板１３には打ち抜かれて透孔８０が形成されている。この把手部７９によって４本の壜を吊り下げて持ち運ぶことができる。また、前記把手部７９の根元部には、図１７に示すように、保管時に折り畳んで高さを低くすることができるように、ヒンジ８１、８３、８５を設けてもよい。ヒンジ８１は連結部分の内側に、ヒンジ８３は前記ヒンジ８１の上部の外側に、ヒンジ８５は前記ヒンジ８３の上部の内側にそれぞれ設ければ、ヒンジ部分から折って把手部７９の高さを低くし、透孔８０に挿入して積み重ねることができる。
【００２９】
尚、把手部７９は上記実施例のように係止板１３と一体に形成したものである他、係止板１３の両縁部に帯状テープを固着して形成してもよい。この場合、帯状テープは平行に２本設けるか、Ｘ字状にクロスして設けることが好ましい。
【００３０】
次に、上記構成の壜運搬具１１ｂの使用方法について説明する。まず、押え板６１を立ち上げておくか、図１２の状態のまま壜口部を王冠挿入孔１７の下側から挿入して環状膨出部Ｂを王冠挿入孔１７より上方に突出させ、そのまま水平移動させて壜頭部用凹部１９に嵌入させる。次いで、押え板６１を倒して凸部６７を段状切欠部６９に嵌合させるとともに、支持用突片７５を下側から回動させて先端の係止部７３を押え板６１の透孔７０に挿入して係止させる。このようにして、図１８に示すように４本の壜を装着固定すれば、押え板６１は上下左右のいずれにも動くことがないから、壜は確実に保持され吊り下げても安全に持ち運ぶことができる。
【００３１】
図１９及び図２０は把手部の構造を変更し、５本用の壜運搬具１１ｃとし、把手部を側端に設けた場合を示す。この実施例では前記平行に設けてなる王冠挿入孔１７の間に第２王冠挿入孔８７と第２壜頭部用凹部８９を設けてなる。第２壜頭部用凹部８９は係止板１３の略中央部に位置し、第２王冠挿入孔８７の縁部にはヒンジ９０を介して第２押え板９１を連設してなる。第２押え板９１の先端には略半円形の切欠９３が形成されており、第２壜頭部用凹部８９とともに、壜頭部の環状膨出部Ｂを係止する。さらに、第２押え板９１の側面には肉厚の略半分を切り欠いて形成した段状切欠部９５が、第２王冠挿入孔８７の縁部に設けた凸部９７に係合し、下方へ垂れ下がるのを防止するように構成されている。
【００３２】
さらに、壜運搬具１１ｃには、板状係止板１３の側端部には略コの字状の把手部５１が連設されている。前記把手部５１は、図８〜図１１に示す実施例の把手部と同一構造であるが、把持部５５の透孔５９とフック６０は省略されている。この壜運搬具１１ｃの使用方法も図８の壜運搬具１１ａと同様であって、四隅の壜頭部用凹部１９に壜頭部を嵌入固定した後、第２王冠挿入孔８７から第２壜頭部用凹部８９に壜頭部を嵌入して第２押え板９１を当接させて環状膨出部Ｂを係止させればよい。その後、把手部５１を起立させて把持部５５を突き合わせて組み立てればよい。
【００３３】
【発明の効果】
上述から明らかなように、この発明は次のような効果を奏することができる。即ち、請求項１に係る壜運搬具では、壜運搬具としての組み立てと壜の取り付けを同時に行うことができ、複数の壜を容易に持ち運ぶことができる。また、王冠挿入孔と壜頭部用凹部とを連通させる構造としたから、壜の取り付けが容易であるとともに、組み立てと逆の方法で分解することにより簡単に壜を取り外すことができる。また、押え板は係止板の側端に連設することにより折り返したとき係止板の上に折り重ねるようにしたから、強度が向上するとともに壜を安全確実に保持することができ少々乱暴な取り扱いをしても壜が不容易に脱落することがない。また、構造が簡単であるから軽量であるとともに、ワンウエー運搬具として安価に提供することができる。さらに、板状体に展開して積み重ねておくことができるから、かさばらず場所を取らない。
【００３４】
また、請求項２に係る壜運搬具では、押え板をヒンジを介して連設したから、折り返しが容易である。また、請求項３に係る壜運搬具では、平行な王冠挿入孔の間に第２王冠挿入孔とこの王冠挿入孔にくびれ部を介して連通する第２壜頭部用凹部を設けたから、５本の壜を同時に安全に運搬することができる。さらに、請求項４に係る壜運搬具では、押え板の先端に切欠を設けるとともに、王冠挿入孔の端面に係止するフックを設けたから、押え板が不用意に立ち上がるのを防止することができる。
【００３５】
また、請求項５に係る壜運搬具としては、板状係止板の対向する側端にはヒンジを介して折り返し自在な把手部を連設してなるから、容易に運搬することができる。また、請求項６に係る壜運搬具にあっては、一方の把手部の把持部に透孔を設け、他方の把手部の把持部に前記透孔に挿入するフックを設けたから、把手部を確実に連結させておくことができ、把手部を一体化させることができる。また、請求項７に係る壜運搬具としては、押え板には先端に凸部を設け中央部に透孔を穿設してなり、前記王冠挿入孔の他の縁部には前記凸部を嵌合させる段状切欠部を設けてなり、さらに前記係止板の側端には前記押え板の透孔に挿入可能な係止部を有する支持用突片をヒンジを介して連設してなるから、押え板は上下左右の動きを抑制するから、運搬中に不容易に落下することがない。
【００３６】
また、請求項８に係る壜運搬具としては、四隅部に形成した壜頭部用凹部によって４本の壜を運搬することができ、押え板先端の凸部と王冠挿入孔縁部の段状切欠部とが嵌合し、支持用突片の係止部が押え板の透孔に挿入係止するため、押え板が不容易に開くのを防止する。しかもほぼ水平な状態の押え板に壜頭部の環状膨出部を係止させることができるから、壜を確実に保持することができる。また、支持用突片の係止部は押え板の透孔に直角に挿入することによって乱暴な取り扱いによっても外れることがない。また、請求項９に係る壜運搬具としては、把手部を設けることによって安全、容易に持ち運ぶことができる。
【図面の簡単な説明】
【図１】展開した状態であって、上半分は上面図、下半分は下面図である。
【図２】押え板の組立方法を示す一部を省略した拡大断面図である。
【図３】壜運搬具の組立方法を示す上面斜視図である。
【図４】把手を取り付けた使用状態を示す上面斜視図である。
【図５】実施例２の壜運搬具の上面図である。
【図６】同じく組立方法を示す上面斜視図である。
【図７】実施例３を示す上半分は上面図、下半分は下面図である。
【図８】実施例４を示し、上半分は上面図、下半分は下面図である。
【図９】図８の一部を省略した拡大断面図である。
【図１０】組み立て方法を示す上面斜視図である。
【図１１】壜を取り付けた状態の上面斜視図である。
【図１２】実施例５を示す平面図である。
【図１３】同じく図１２の右半分の断面図である。
【図１４】同じく図１２の右半分にける一部切断斜視図である。
【図１５】押え板の係合状態を示す一部拡大斜視図である。
【図１６】支持用突片の拡大斜視図である。
【図１７】把手部の根元部を示す一部断面斜視図である。
【図１８】壜の装着状態を示す説明用斜視図である。
【図１９】実施例６を示す平面図である。
【図２０】同じく部分拡大斜視図である。
【図２１】公知のびん等の結束具を示す平面図である。
【符号の説明】
１１  壜運搬具
１３  係止板
１５  押え板
１７  王冠挿入孔
１９  壜頭部用凹部
２０  くびれ部
２１  連通部
２３  ヒンジ
２５  切欠
２７  王冠挿入孔の側面
２９  フック
３１  把手
３３  第２王冠挿入孔
３５  くびれ部
３７  第２壜頭部用凹部
３９  ヒンジ
４０  第２押え板
４１  切欠
４３  第２王冠挿入孔の側面
４５  フック
４７  押え板
４９  押え板
５０  切欠
５１  把手部
５３  ヒンジ
５５  把持部
５７  ヒンジ
５９  透孔
６０  フック
６１  押え板
６３  ヒンジ
６５  先端部
６７  凸部
６９  段状切欠部
７０  透孔
７１  側面
７３  係止部
７５  支持用突片
７７  ヒンジ
７９  把手部
８０  透孔
８１  ヒンジ
８３  ヒンジ
８５  ヒンジ
８７  第２王冠挿入孔
８９  第２壜頭部用凹部
９０  ヒンジ
９１  第２押え板
９３  切欠
９５  段状切欠部
９７  凸部
【図１】
0003653678.tif 000002
【図２】
0003653678.tif 000003
【図３】
0003653678.tif 000004
【図４】
0003653678.tif 000005
【図５】
0003653678.tif 000006
【図６】
0003653678.tif 000007
【図７】
0003653678.tif 000008
【図８】
0003653678.tif 000009
【図９】
0003653678.tif 000010
【図１０】
0003653678.tif 000011
【図１１】
0003653678.tif 000012
【図１２】
0003653678.tif 000013
【図１３】
0003653678.tif 000014
【図１４】
0003653678.tif 000015
【図１５】
0003653678.tif 000016
【図１６】
0003653678.tif 000017
【図１７】
0003653678.tif 000018
【図１８】
0003653678.tif 000019
【図１９】
0003653678.tif 000020
【図２０】
0003653678.tif 000021
【図２１】
0003653678.tif 000022